(57)【要約】【課題】簡単な構成で、高い装着位置決め精度を実現するとともに、バイアス箇所を削減して容易に光路を確保することを可能にする。【解決手段】光学部品の保持構造３２は、光ピックアップの光路上に配設され、光の透過、反射、屈折および分離のうちから選択される１以上の光学的機能を有し、予め定められる方向に突出し勾配またはテーパを有するように形成される凸部４３を備える光学部品３１と、光学部品３１に形成される凸部４３の勾配またはテーパに対応する形状の凹部４５が形成される保持部材４０とを含む構成である。光学部品３１は、その凸部４５を保持部材４０の凹部４３に嵌合させるようにして保持部材４０に保持される。このような光学部品の保持構造３２では、凸部４３を位置決め部材に利用することができるので、簡単な構成で高い装着位置決め精度を維持できるとともに、バイアス箇所を削減することができる。【選択図】　　　図１
2004139695.tif 000002
【特許請求の範囲】
【請求項１】
光ピックアップの光路上に配設され、光の透過，反射，屈折および分離のうちから選択される１以上の光学的機能を有する光ピックアップの光学部品において、
予め定められる方向に突出し、勾配またはテーパを有するように形成される凸部を備えることを特徴とする光ピックアップの光学部品。
【請求項２】
光ピックアップの光路上に配設され、光の透過，反射，屈折および分離のうちから選択される１以上の光学的機能を有する光ピックアップの光学部品であって、予め定められる方向に突出し勾配またはテーパを有するように形成される凸部を備える光学部品と、
前記光学部品に形成される凸部の勾配またはテーパに対応する形状の凹部が形成される保持部材とを含み、
前記光学部品の凸部を前記保持部材の凹部に嵌合させるようにして前記光学部品を前記保持部材に保持することを特徴とする光ピックアップの光学部品の保持構造。
【請求項３】
光によって光記録媒体に情報を記録および／または光記録媒体から情報を再生する光ピックアップ装置であって、
前記請求項２記載の光ピックアップの光学部品の保持構造と、
光を放射する光源と、
前記光源から放射される光を前記光記録媒体に集光する集光手段と、
前記光記録媒体によって反射された光を検出する光検出手段とを含むことを特徴とする光ピックアップ装置。
【発明の詳細な説明】
【０００１】
【発明の属する技術分野】
本発明は、光情報記録再生装置などに用いられる光ピックアップの光学部品およびその保持構造ならびに光ピックアップ装置に関する。
【０００２】
【従来の技術】
光によって情報を記録／再生する光記録媒体には、コンパクトディスク（略称ＣＤ）、デジタルバーサタイルディスク（略称ＤＶＤ）およびミニディスク（略称ＭＤ）などの光ディスクが多用されている。これらの光記録媒体の情報記録面には微細なピッチでトラックが形成されており、この情報記録面に情報を記録または情報記録面から情報を再生するためには、たとえば光ピックアップに備わる光源から放射される光を情報記録面の所定のトラック上に精度良く集光照射するとともに、集光されて形成される光スポットを高速で回転する光記録媒体のトラックに正確に追随させなければならない。
【０００３】
このように光記録媒体に微細なピッチで形成されるトラックに対する集光位置の精度を高め、さらにトラックに対する追随精度を高めるためには、光ピックアップにおける光源から放射されて光記録媒体に集光されるまでの光路および光記録媒体に反射されて光検出器に受光されるまでの光路に配設される各種光学部品の装着精度の高いことが要求される。
【０００４】
光ピックアップの光学部品を装着する従来技術に、光学部品であるたとえばレンズを光学台に載置し、レンズと光学台とを接着剤で固着させるとともに、光学台に設けられる板ばねの弾性を利用してレンズを光学台の底面方向に押圧することによって、光学部品装着の位置決め精度を確保するというものがある（たとえば、特許文献１参照）。
【０００５】
またもう一つの従来技術に、予め定められた位置に位置決め部材を挿通させる穴を形成した基板を複数準備し、複数の基板を積層した状態で前記穴の組合せに基づいて定められる位置に光学部品を装着することによって、光学部品を精度良く位置決めするというものがある（たとえば、特許文献２参照）。
【０００６】
【特許文献１】
特開２０００−１９５０８３号公報
【特許文献２】
特開平８−２７３１８８号公報
【０００７】
【発明が解決しようとする課題】
しかしながら前述の従来技術には、以下のような問題がある。特許文献１に開示される技術では、光学部品をばね部材の弾性による押圧力を利用して位置決めしている。このような位置決め方法では、光学部品の対向する面を結ぶ１方向のみを光路に使用する場合には特に問題が無いけれども、光学部品の複数の面を利用して複数方向を光路に使用しなければならない場合、ばね部材が光路を遮断する恐れがある。
【０００８】
図６は、従来の光学部品の保持構造を例示する斜視図である。図６（ａ）は、光学部品の１つであるダイクロプリズム１の装着状態を示す斜視図である。図６（ｂ）は、理解を容易にするために装着部材２を省略して簡略化し、装着部材２による押圧方向のみを矢符にて示す斜視図である。
【０００９】
ダイクロプリズム１は、たとえばガラスなどからなる光学部品であり、直方体または立方体の形状を有する。ダイクロプリズム１は、第１〜第６面１１，１２，１３，１４，１５，１６の６つの面を備え、第１面１１と第３面１３とを結ぶ第１光路１７および第１面１１と反射面１９によって反射されて第２面１２とを結ぶ第２光路１８が形成される。すなわちダイクロプリズム１では、第１〜第３面１１，１２，１３の３つの面を用いて形成される第１および第２光路１７，１８を使用する。
【００１０】
ダイクロプリズム１は、保持部材３に載置される。保持部材３は略直方体形状を有し、保持部材３のダイクロプリズム１の載置されるべき面３ａ（以後、便宜上載置面３ａと称する）には、垂直に立上がるようにしてダイクロプリズム１を位置決めするための第１および第２突出片４，５が形成される。第１および第２突出片４，５は、保持部材３の側面と平行方向に延び、その延びる方向に直交する断面形状が方形になるように形成される。第１および第２突出片４，５の保持部材３内方に臨む面が、ダイクロプリズム１を位置決めするための第１基準面４ａおよび第２基準面５ａをそれぞれ構成する。
【００１１】
ダイクロプリズム１は、第６面１６を保持部材３の載置面３ａに当接し、第２面１２を第１基準面４ａに当接し、第３面１３を第２基準面５ａに当接するように保持部材３に載置される。保持部材３の寸法ならびに第１および第２突出片４，５の形成される位置は、ダイクロプリズム１の寸法を予め考慮し、保持部材３が光ピックアップのハウジングに固設された状態で、保持部材３に載置されるダイクロプリズム１の位置が所定の位置になるように設定される。
【００１２】
所定の位置になるように載置面３ａ上に載置されたダイクロプリズム１の位置決めされた状態は、たとえば振動などの外力を受けても変化しないように維持されなければならない。図６に示す保持部材３に載置されたダイクロプリズム１の位置決め状態を維持するためには、ダイクロプリズム１の第４面１４から第１基準面４ａに向う方向（矢符６の方向）、第１面１１から第２基準面５ａに向う方向（矢符７の方向）および第５面１５から保持部材３の載置面３ａに向う方向（矢符８の方向）の３方向から、常に押圧力を加えることが必要とされる。以後、位置決め状態を維持するために光学部品を保持部材に対して押圧する力をバイアスと呼ぶことがある。
【００１３】
装着部材２は、ダイクロプリズム１に対して前述の３方向から常にバイアスを加えるために設けられる。装着部材２は、たとえば銅合金などからなる板ばね部材であり、第１〜第３板ばね片２ａ，２ｂ，２ｃが形成される。また装着部材２には、厚み方向に貫通して係合孔２１と取付孔とが形成される。係合孔２１を、光ピックアップのハウジングに形成される位置決め用突起片２２に係合させ、取付孔におねじ部材２３を挿通し、予めハウジングの定められた位置に形成されるめねじ部に螺合させることによって、装着部材２はハウジングに対して位置決めされて装着される。
【００１４】
装着部材２がハウジングに装着された状態で、装着部材２に形成される第１板ばね片２ａは、ダイクロプリズム１に対して矢符６方向にバイアスを加え、第２板ばね片２ｂは、ダイクロプリズム１に対して矢符７方向にバイアスを加え、第３板ばね片２ｃは、ダイクロプリズム１に対して矢符８方向にバイアスを加えることができる。このことによって、ダイクロプリズム１は、精度良く位置決めされた装着状態を維持することができる。
【００１５】
しかしながら、前述のように３方向からバイアスを加えなければならない場合、第２板ばね片２ｂは、第１および第２光路１７，１８に共通して用いられる第１面１１を押圧するように配置される。したがって、第１面１１に入射または出射する光は、第２板ばね片２ｂを回避することができるようにその入射位置または出射位置を定めなければならないので、光路の確保が困難になるとともに、光ビームの一部が遮蔽されて光量低下を来すという問題がある。また３方向からバイアスを加えるに際し、第１、第４および第５面１１，１４，１５の３面に板ばね片２ａ，２ｂ，２ｃを当接させて押圧するので、ダイクロプリズム１の前記押圧される面が、傷付いたり汚染される恐れがある。さらに３方向からバイアスを加えることのできる装着部材２は、大型化して大きな設置空間を必要とするので、装置の小型化および薄型化を実現する上での障害となる。
【００１６】
また特許文献２に開示される技術では、位置決め部材を挿通させる穴をたとえばフォトリソグラフィなどの手法を用いて形成した基板を多数枚準備しなければならないので、製造工程が複雑化し生産効率を低下させるという問題がある。
【００１７】
本発明の目的は、簡単な構成で、高い装着位置決め精度を実現するとともに、バイアス箇所を削減して容易に光路を確保することのできる光ピックアップの光学部品およびその保持構造を提供することである。
【００１８】
【課題を解決するための手段】
本発明は、光ピックアップの光路上に配設され、光の透過，反射，屈折および分離のうちから選択される１以上の光学的機能を有する光ピックアップの光学部品において、
予め定められる方向に突出し、勾配またはテーパを有するように形成される凸部を備えることを特徴とする光ピックアップの光学部品である。
【００１９】
本発明に従えば、光ピックアップの光学部品は、予め定められる方向に突出し、勾配またはテーパを有するように形成される凸部を備える。このような光学部品では、光学部品をたとえば光ピックアップに装着して位置決めするに際し、勾配またはテーパを有するように形成される凸部を、位置決め部材に利用することができる。光学部品に形成される凸部を位置決め部材に利用することによって、凸部の突出する方向に平行な１方向、または凸部の突出する方向に平行な方向と凸部の突出する方向に直交する方向のうちから選択される１方向との２方向に対してバイアスを付加するだけで、光学部品を高い精度で位置決めし装着することが可能になる。すなわち光学部品に勾配またはテーパを有する凸部を形成するという簡単な構成で、３方向からの付加を必要としていたバイアスのうち、少なくとも１方向のバイアス付加を削減することが可能になる。
【００２０】
また本発明は、光ピックアップの光路上に配設され、光の透過，反射，屈折および分離のうちから選択される１以上の光学的機能を有する光ピックアップの光学部品であって、予め定められる方向に突出し勾配またはテーパを有するように形成される凸部を備える光学部品と、
前記光学部品に形成される凸部の勾配またはテーパに対応する形状の凹部が形成される保持部材とを含み、
前記光学部品の凸部を前記保持部材の凹部に嵌合させるようにして前記光学部品を前記保持部材に保持することを特徴とする光ピックアップの光学部品の保持構造である。
【００２１】
本発明に従えば、光学部品の保持構造は、予め定められる方向に突出し勾配またはテーパを有するように形成される凸部を備える光学部品と、光学部品に形成される凸部の勾配またはテーパに対応する形状の凹部が形成される保持部材とを含み、光学部品の凸部を保持部材の凹部に嵌合させるようにして光学部品を保持部材に保持することによって構成される。このように構成される光学部品の保持構造では、光学部品に形成される凸部の突出方向に同一である光学部品を保持部材に向けて押圧する方向、または光学部材を保持部材に向けて押圧する方向とその方向に直交する方向のうちから選択される１方向との２方向に対してバイアスを付加するだけで、光学部品を保持部材に対して高い精度で位置決めし装着することが可能になる。前述のような簡単な構成で、３方向からの付加を必要としていたバイアスのうち、少なくとも１方向のバイアス付加を削減することが可能になるので、光学部品を構成する各面のうち光路に利用可能な面の数を増すことができ、光路の確保が容易になる。
【００２２】
また本発明は、光によって光記録媒体に情報を記録および／または光記録媒体から情報を再生する光ピックアップ装置であって、
前記の光ピックアップの光学部品の保持構造と、
光を放射する光源と、
前記光源から放射される光を前記光記録媒体に集光する集光手段と、
前記光記録媒体によって反射された光を検出する光検出手段とを含むことを特徴とする光ピックアップ装置である。
【００２３】
本発明に従えば、光ピックアップ装置は、前述の光学部品の保持構造を備えるので、１方向または２方向からのバイアス付加によって光学部品を保持部材に位置決めし装着することができる。したがって、光学部品の保持構造に備わり、光学部品にバイアスを付加する装着部材をコンパクトにすることが可能になり、光学部品の保持構造を収容するために要する空間の容積を少なくすることができるので、装置の小型化および薄型化が実現される。
【００２４】
【発明の実施の形態】
図１は本発明の実施の第１形態である光学部品３１およびその保持構造３２の構成を簡略化して示す斜視図であり、図２は図１に示す光学部品の保持構造３２を備える光ピックアップ装置３０の構成を示す配置図である。初めに光学部品の保持構造３２が好適に用いられる光ピックアップ装置３０について説明し、次いで光ピックアップ装置３０に備わる光学部品の保持構造３２について説明する。
【００２５】
図２（ａ）は光ピックアップ装置３０の光モジュール３４ａ，３４ｂから立上ミラー３７までの配置図であり、図２（ｂ）は立上ミラー３７から光記録媒体３３までの右側面配置図である。
【００２６】
光によって光記録媒体３３に情報を記録および／または光記録媒体３３から情報を再生する光ピックアップ装置３０は、光を放射する光源および光記録媒体３３によって反射された光を受光する受光素子からなる光検出手段を備える光モジュール３４ａ，３４ｂと、光モジュール３４ａ，３４ｂから放射される光を反射して光路を９０度折曲げる折曲げミラー３５と、光学部品の保持構造３２と、光モジュール３４ａ，３４ｂから放射されて光学部品３１を透過した光を平行光にするコリメートレンズ３６と、コリメートレンズ３６を通過した光を反射して光記録媒体３３に導く立上ミラー３７と、立上ミラー３７によって反射された光を光記録媒体３３の情報記録面に集光する集光手段である対物レンズ３８とを含む構成である。
【００２７】
光モジュール３４ａ，３４ｂは、２個備えられる。一方の光モジュール３４ａは、たとえば波長７５０ｎｍの赤外光を放射する光源と、光記録媒体３３によって反射された赤外光を受光する光検出手段とを備える。他方の光モジュール３４ｂは、たとえば波長６３０ｎｍの赤色光を放射する光源と、光記録媒体３３によって反射された赤色光を受光する光検出手段とを備える。
【００２８】
光学部品３１は、ダイクロプリズム３１であり、他方の光モジュール３４ｂから放射され折曲げミラー３５に反射されて入射する赤色光を透過するとともに、光記録媒体３３によって反射されて入射する赤色光を透過し、一方の光モジュール３４ａから放射されて入射する赤外光を反射するとともに、光記録媒体３３によって反射されて入射する赤外光を反射するように設定される。
【００２９】
このダイクロプリズム３１は、光モジュール３４ａ，３４ｂから光記録媒体３３に向けて放射される光の光路上および光記録媒体３３によって反射された光の光路上に配設され、光を透過および反射するとともに、波長：７５０ｎｍの光と波長：６３０ｎｍの光とを分離することができる。
【００３０】
コリメートレンズ３６は、前述のようにダイクロプリズム３１から出射する光を平行光にする。立上ミラー３７は、コリメートレンズ３６を通過した光を反射し、光路を９０度折曲げて光を光記録媒体３３に導く。立上ミラー３７によって反射された光は、対物レンズ３８によって光記録媒体３３の情報記録面に集光される。
【００３１】
以下光ピックアップ装置３０における光記録媒体３３からの情報再生動作について例示する。光モジュール３４ａから放射される光は、ダイクロプリズム３１の反射面３９によって反射されてコリメートレンズ３６に導かれる。コリメートレンズ３６を通過し立上ミラー３７で反射された光は、対物レンズ３８によって光記録媒体３３の情報記録面に集光される。光記録媒体３３によって反射された光は、前述の光路を逆にたどって再びダイクロプリズム３１に入射する。ダイクロプリズム３１に入射した光は、ダイクロプリズム３１の反射面３９によって反射されて光モジュール３４ａに備わる光検出手段によって受光される。光検出手段は、たとえばフォトダイオードなどからなる受光素子であり、受光した光を電気信号に変換し、これらの電気信号に基づいて情報再生信号ならびに制御信号であるフォーカシングエラー信号およびトラッキングエラー信号を生成する。このような光モジュール３４ａは、たとえば光記録媒体の１種であるＣＤに対する情報の記録／再生に用いられる。
【００３２】
もう一つの光モジュール３４ｂから放射される光は、折曲げミラー３５によって光路を９０度折曲げられてダイクロプリズム３１に入射する。ダイクロプリズム３１に入射した光は、そのままダイクロプリズム３１を透過してコリメートレンズ３６に導かれる。コリメートレンズ３６以降は、前述の光モジュール３４ａの場合と同様の光路をたどり、光記録媒体３３による反射光は、再びダイクロプリズム３１に入射する。ダイクロプリズム３１に入射した光は、ダイクロプリズム３１を透過し折曲げミラー３５によって反射されて光モジュール３４ｂに導かれる。光モジュール３４ｂに入射した光は、光モジュール３４ｂに備わる光検出手段によって受光される。前述の光モジュール３４ａの場合と同様、光検出手段は、情報再生信号ならびにフォーカシングエラー信号およびトラッキングエラー信号を生成する。このような光モジュール３４ｂは、たとえば光記録媒体の１種であるＤＶＤに対する情報の記録／再生に用いられる。
【００３３】
図１に戻って光ピックアップ装置３０に備えられる光学部品の保持構造３２について説明する。光学部品の保持構造３２は、光学部品であるダイクロプリズム３１と、光学部品３１を保持する保持部材４０と、後述するダイクロプリズム３１を保持部材４０に対して位置決めし装着する装着部材４１とを含んで構成される。
【００３４】
ダイクロプリズム３１は、たとえばガラスなどからなる光学部品である。ダイクロプリズム３１は、直方体形状を有するプリズム本体部４２と、予め定められる方向である保持部材４０に対する装着方向に突出して４角錐状に形成される凸部４３とを備える。４角錐状に形成される凸部４３は、４角錐の底面がプリズム本体４２の保持部材４０を臨む面に連って形成される。したがって、４角錐状の凸部４３を構成する４つの側面４３ａ，４３ｂ，４３ｃ，４３ｄのうち、互いに対向する側面同志である側面４３ａと４３ｃおよび側面４３ｂと４３ｄとは、テーパを有する。
【００３５】
保持部材４０は、たとえば亜鉛やアルミニウムなどからなり、外観が略直方体形状を有する部材である。保持部材４０のダイクロプリズム３１が保持されるべき面４４（以後、保持面と略称する）には、前述の４角錐状の凸部４３に対応する形状に穿たれる凹部４５が形成される。したがって、保持部材４０の凹部４５には、凸部４３のテーパに対応するように、保持部材４０の厚み方向内方に向って４つの傾斜面４５ａ，４５ｂ，４５ｃ，４５ｄが形成される。
【００３６】
ダイクロプリズム３１の凸部４３と、保持部材４０の凹部４５とを嵌合させるとき、それぞれ対応する凸部４３の側面と凹部４５の傾斜面とが当接する。すなわち、側面４３ａと傾斜面４５ａ，側面４３ｂと傾斜面４５ｂ，側面４３ｃと傾斜面４５ｃおよび側面４３ｄと傾斜面４５ｄとが当接し、ダイクロプリズム３１は、凸部４３の突出方向に直交する方向に対して拘束され、位置決めされる。
【００３７】
したがって、ダイクロプリズム３１を保持部材４０に対して押圧する方向、すなわち矢符４６によって示す１方向にバイアスを付加するだけで、ダイクロプリズム３１を保持部材４０に対して位置決めし、装着することができる。保持部材４０は、保持部材４０に保持されるダイクロプリズム３１の寸法および使用面等を予め考慮し、保持部材４０に保持されるダイクロプリズム３１の位置が所定の位置になるように、光ピックアップ装置３０のハウジングの所定位置に装着される。
【００３８】
図３は、ダイクロプリズム３１の保持部材４０に対する装着状態を例示する斜視図である。装着部材４１は、たとえば銅合金などからなる弾性を有する板ばね部材であり、ダイクロプリズム３１を保持部材４０に押圧する方向、すなわち前述の矢符４６方向にバイアスを付加するために設けられる。装着部材４１は、光ピックアップ装置３０のハウジングに固定される固定部４７と、固定部４７から垂直に立上がる連接部４８と、連接部４８に連なり固定部４７と平行かつ固定部４７の延びる方向と逆に延びる板ばね片４９とからなる。
【００３９】
装着部材４１の固定部４７には、厚み方向に貫通して係合孔５０と取付孔とが形成される。係合孔５０を、光ピックアップ装置３０のハウジングに形成される位置決め用突起片５１に係合させ、取付孔におねじ部材５２を挿通し、ハウジングの予め定められた位置に形成されるめねじ部に螺合させることによって、装着部材４１はハウジングに対して装着される。
【００４０】
装着部材４１がハウジングに装着された状態で、装着部材４１の板ばね片４９は、その弾性によってダイクロプリズム３１に対して矢符４６方向にバイアスを加え、ダイクロプリズム３１を保持部材４０に対して押圧する状態を維持することができる。前述のようにダイクロプリズム３１の凸部４３と保持部材４０の凹部４５とが嵌合されて、ダイクロプリズム３１の前記矢符４６方向に直交する方向の移動が抑止されているので、矢符４６で示される１方向にバイアスを付加することによって、ダイクロプリズム３１を精度良く位置決めするとともに、精度良く位置決めされた装着状態を維持することができる。
【００４１】
また装着部材４１の連接部４８に光が通過することのできる開口部５３を形成しておくことによって、ダイクロプリズム３１の連接部４８を臨む面も光の入出射面に使用することが可能になる。
【００４２】
このように装着部材４１がダイクロプリズム３１を押圧する面が１面に限定されるので、ダイクロプリズム３１の面を傷付ける恐れが少なくなる。またダイクロプリズム３１の装着部材４１によって押圧される面と保持部材４０に装着される面との２面を除く４面を光の入出射面として使用することができるので、光路の確保が容易であり、装着部材による光量低下の問題を解消することができる。
【００４３】
さらにバイアスを加える方向を１つに削減することによって、装着部材４１の板ばね片の数を減少することができるので、装着部品をコンパクトにし、その設置空間を小さくして装置の小型化および薄型化に寄与することができる。なお装着部材は、ハウジングに装着される構成に限定されるものではなく、たとえば保持部材に装着させるように構成することによって、よりコンパクト化されるので、装置の一層の小型化および薄型化を実現することができる。
【００４４】
図４は、本発明の実施の第２形態である光学部品の保持構造６１の構成を簡略化して示す斜視図である。なお図４では、装着部材の図示を省略し、装着部材によるバイアス方向のみを矢符にて示す。
【００４５】
本実施の形態における光学部品であるダイクロプリズム６２は、直方体形状を有するプリズム本体部６３と、予め定められる方向である保持部材６５に対する装着方向に突出して３角柱状に形成される凸部６４とを備える。
【００４６】
３角柱状に形成される凸部６４は、３角柱の１側面がプリズム本体部６３の保持部材６５を臨む面に連なるように形成される。したがって、３角柱状の凸部６４を構成する残る２つの側面６４ａ，６４ｂは、テーパを有する。
【００４７】
保持部材６５は、外観が略直方体形状を有し、そのダイクロプリズム６２が保持されるべき保持面６６には、前述の３角柱状の凸部６４に対応する形状に穿たれる凹部６７が形成される。したがって、保持部材６５の凹部６７には、凸部６４のテーパに対応するように、保持部材６５の厚み方向内方に向って２つの傾斜面６７ａ，６７ｂが形成される。
【００４８】
ダイクロプリズム６２の凸部６４と、保持部材６５の凹部６７とを嵌合させるとき、それぞれ対応する凸部６４の側面と凹部６７の傾斜面とが当接する。すなわち、側面６４ａと傾斜面６７ａおよび側面６４ｂと傾斜面６７ｂとが当接し、ダイクロプリズム６２は、凸部６４の突出方向に直交する方向であってテーパの傾斜方向に対して拘束され、位置決めされる。
【００４９】
したがって、ダイクロプリズム６２を保持部材６５に対して押圧する方向である矢符４６方向と、矢符４６方向に直交するとともに凸部６４のテーパの傾斜方向に対しても直交する方向である矢符６８方向の２方向にバイアスを付加するだけで、ダイクロプリズム６２を保持部材６５に対して位置決めし、装着することができる。
【００５０】
図５は、本発明の実施の第３形態である光学部品の保持構造７１の構成を簡略化して示す斜視図である。なお図５では、装着部材の図示を省略し、装着部材によるバイアス方向のみを矢符にて示す。
【００５１】
本実施の形態における光学部品であるダイクロプリズム７２は、直方体形状を有するプリズム本体部７３と、予め定められる方向である保持部材７５に対する装着方向に突出し、底面が直角３角形状を有する３角柱状に形成される凸部７４とを備える。
【００５２】
３角柱状に形成される凸部７４は、３角柱の直角を挟む１側面がプリズム本体部７３の保持部材７５を臨む面に連なるように形成され、かつプリズム本体部７３の保持部材７５を臨む面に隣接する側面７８と３角柱の直角を挟む他の側面７４ｂとが平面状に連なるようにして形成される。このように形成される３角柱状の凸部７４を構成する残る側面７４ａは、勾配を有する。
【００５３】
保持部材７５は、外観が略直方体形状を有し、そのダイクロプリズム７２が保持されるべき保持面７６には、前述の３角柱状の凸部７４に対応する形状に穿たれる凹部７７が形成される。したがって、保持部材７５の凹部７７には、凸部７４の勾配に対応するように、保持部材７５の厚み方向内方に向って１つの傾斜面７７ａが形成される。
【００５４】
ダイクロプリズム７２の凸部７４と、保持部材７５の凹部７７とを嵌合させるとき、それぞれ対応する凸部７４の側面７４ａと凹部７７の傾斜面７７ａおよび凸部７４の側面７４ｂと凹部７７の壁面７７ｂとが当接し、ダイクロプリズム７２は、凸部７４の突出方向に直交する方向であって勾配の傾斜方向に対する移動が抑止される。
【００５５】
したがって、ダイクロプリズム７２を保持部材７５に対して押圧する方向である矢符４６方向と、矢符４６方向に直交するとともに凸部７４の勾配の傾斜方向に対しても直交する方向である矢符６８方向の２方向にバイアスを付加するだけで、ダイクロプリズム７２を保持部材７５に対して位置決めし、装着することができる。
【００５６】
以上に述べたように、本実施の形態では、光学部品は、ダイクロプリズムであるけれども、これに限定されることなく、立上ミラー、折曲げミラーなどの他の光学部品であってもよい。また凸部に形成される勾配またはテーパの傾斜角度は、本実施の形態に例示の角度に限定されるものではなく、保持される光学部品の種類および装置の設置空間の大きさなどに従って適宜選定されてよい。
【００５７】
【発明の効果】
本発明によれば、光ピックアップの光学部品は、予め定められる方向に突出し、勾配またはテーパを有するように形成される凸部を備える。このような光学部品では、光学部品をたとえば光ピックアップに装着して位置決めするに際し、勾配またはテーパを有するように形成される凸部を、位置決め部材に利用することができる。光学部品に形成される凸部を位置決め部材に利用することによって、凸部の突出する方向に平行な１方向、または凸部の突出する方向に平行な方向と凸部の突出する方向に直交する方向のうちから選択される１方向との２方向に対してバイアスを付加するだけで、光学部品を高い精度で位置決めし装着することが可能になる。すなわち光学部品に勾配またはテーパを有する凸部を形成するという簡単な構成で、３方向からの付加を必要としていたバイアスのうち、少なくとも１方向のバイアス付加を削減することが可能になる。
【００５８】
また本発明によれば、光学部品の保持構造は、予め定められる方向に突出し勾配またはテーパを有するように形成される凸部を備える光学部品と、光学部品に形成される凸部の勾配またはテーパに対応する形状の凹部が形成される保持部材とを含み、光学部品の凸部を保持部材の凹部に嵌合させるようにして光学部品を保持部材に保持することによって構成される。このように構成される光学部品の保持構造では、光学部品に形成される凸部の突出方向に同一である光学部品を保持部材に向けて押圧する方向、または光学部材を保持部材に向けて押圧する方向とその方向に直交する方向のうちから選択される１方向との２方向に対してバイアスを付加するだけで、光学部品を保持部材に対して高い精度で位置決めし装着することが可能になる。前述のような簡単な構成で、３方向からの付加を必要としていたバイアスのうち、少なくとも１方向のバイアス付加を削減することが可能になるので、光学部品を構成する各面のうち光路に利用可能な面の数を増すことができ、光路の確保が容易になる。
【００５９】
また本発明によれば、光ピックアップ装置は、前述の光学部品の保持構造を備えるので、１方向または２方向からのバイアス付加によって光学部品を保持部材に位置決めし装着することができる。したがって、光学部品の保持構造に備わり、光学部品にバイアスを付加する装着部材をコンパクトにすることが可能になり、光学部品の保持構造を収容するために要する空間の容積を少なくすることができるので、装置の小型化および薄型化が実現される。
【図面の簡単な説明】
【図１】本発明の実施の第１形態である光学部品３１およびその保持構造３２の構成を簡略化して示す斜視図である。
【図２】図１に示す光学部品の保持構造３２を備える光ピックアップ装置３０の構成を示す配置図である。
【図３】ダイクロプリズム３１の保持部材４０に対する装着状態を例示する斜視図である。
【図４】本発明の実施の第２形態である光学部品の保持構造６１の構成を簡略化して示す斜視図である。
【図５】本発明の実施の第３形態である光学部品の保持構造７１の構成を簡略化して示す斜視図である。
【図６】従来の光学部品の保持構造を例示する斜視図である。
【符号の説明】
３０　光ピックアップ装置
３１，６２，７２　光学部品
３２，６１，７１　保持構造
３３　光記録媒体
３４　光モジュール
３８　対物レンズ
４０，６５，７５　保持部材
４１　装着部材
４３，６４，７４　凸部
４５，６７，７７　凹部
【図１】
2004139695.tif 000003
【図２】
2004139695.tif 000004
【図３】
2004139695.tif 000005
【図４】
2004139695.tif 000006
【図５】
2004139695.tif 000007
【図６】
2004139695.tif 000008